(57)【特許請求の範囲】
【請求項１】
首振り動作を行う扇風機本体Ａと、底板４１及びこの底板４１の上部に回転可能に設けられた台部２５とから構成される台座部Ｃと、前記扇風機本体Ａ及び台座部Ｃの間に設けられる首振り駆動用ユニットＢとを具備し、前記首振り駆動用ユニットＢ内に首振り駆動用のモータ１３を備え、
更に前記首振り駆動用ユニットＢは、前記モータ１３の回転に駆動連係するカム体２１と、このカム体に駆動連係して揺動動作しその揺動端部にラック２０ａを設けた揺動ラック体２０と、前記台座部Ｃの前記底板４１に保持されるラチェット歯車４０と、を備えるとともに、前記揺動ラック体２０のラック２０ａと前記ラチェット歯車４０とが噛合する扇風機の首振り機構において、
前記ラチェット歯車４０の中央筒部４０ｃに円筒状の段部４０ｄを設け、この段部４０ｄにコイルばね４２を装着し、
前記コイルばね４２の上端及び下端にリング状のスペーサ４３を配置し、
前記コイルばね４２の上端部を、前記スペーサ４３を介して前記台部２５に圧椄させたことを特徴とする扇風機の首振り機構。

【発明の詳細な説明】
【技術分野】
【０００１】
本発明は、扇風機に首振り専用のモータを備えた形式の首振機構に関する。
【背景技術】
【０００２】
扇風機の首振り機構として、家庭用扇風機に多用されているリンク機構を用いたもの、電車の天吊り型扇風機に用いられている歳差運動を利用したもの、首振り用のサーボモータを用いてモータの回転方向を変えて往復運動するもの等が知られている。尚、首振り機構を用いずにルーバー（前カバー）が回転して風向きを変化させるものも用いられている。
【０００３】
更に、立体首振り機構の代表的なものとして、サーボモータを２個用いたり、リンク機構を２個用いて、Ｘ軸、Ｙ軸の揺動運動を組み合わせるものもある。
【０００４】
上述した扇風機の首振り機構として、リンク機構は小型化するとアームが短くなるため、首振り往復運動の右回転、左回転の速度差が大きくなってしまったり、首振り角度を大きく採ることが困難となる欠点を有する。
【０００５】
サーボモータを用いて首振りを行うものは、構造が単純で往復運動の左右回転差がなく首振り角の自由度が大きいという利点を有するが、高価であるという欠点がある。
【０００６】
立体首振り機構でモータを２個用いるものは、２個のモータの同期をとることが困難であり、そのため２個のモータに回転差を設けて向きをランダムに変化させているので、向きの変化の周期が一定でなく、また、モータを２個用いるためコスト高となる不都合がある。
【０００７】
また、立体首振り機構でリンク機構を２個用いるものは、組立て時にＸ軸、Ｙ軸の位相を合わせる必要があり、機構の小型化が難しく、外力が加わって位相がずれるとこれを戻すことが困難である等の不都合がある。
【０００８】
そこで、本願出願人は、先に、小型扇風機において、小型で汎用性のある首振り機構を提案した（特許文献１）。
【先行技術文献】
【特許文献】
【０００９】
【特許文献１】特許第５６４９０８５号公報
【特許文献２】特公昭５０−１６７４０号公報
【発明の概要】
【発明が解決しようとする課題】
【００１０】
上記発明は、図４〜図８に示すように、首振り動作を行う扇風機本体Ａと、底板４１及びこの底板４１の上部に回転可能に設けられた台部２５とから構成される台座部Ｃと、扇風機本体Ａ及び台座部Ｃの間に設けられる首振り駆動用ユニットＢとを具備し、首振り駆動用ユニットＢ内に首振り駆動用のモータ１３を備えた扇風機の首振り機構において、首振り駆動用ユニットＢは、扇風機本体Ａに保持されるとともに、台座部Ｃの台部２５に固定される左右のユニットケース１５，２２を設けて、これらユニットケース１５，２２の間に前記モータ１３の回転に駆動連係するカム体２１と、このカム体に駆動連係して揺動動作しその揺動端部にラック２０ａを設けた揺動ラック体２０と、台座部Ｃの底板４１に保持されるラチェット歯車４０と、を備えるとともに、揺動ラック体２０のラック２０ａとラチェット歯車４０とが噛合して構成される扇風機の首振り機構である。
【００１１】
更に上記の第２発明は、扇風機本体Ａと台座部Ｃとの間に首振り駆動用ユニットＢを設け、首振り駆動用ユニット内に首振り駆動用のモータ１３を備えた形式の扇風機の首振り機構において、扇風機本体Ａは、首振り駆動用ユニットＢを覆う一方及び他方のケース部（中ケース３，後ケース６）を備えるとともに、他方のケース部（後ケース６）には首振り駆動用ユニットＢの上端部を保持する首振り駆動用ユニットＢの保持部６３を備えて、この保持部６３と首振り駆動用ユニットＢの上端部とが、前記ケース部及び首振り駆動用ユニットＢにおける相対回動の支点部を構成し、首振り駆動用ユニットＢは、モータ１３に駆動連係するカム体２１と、このカム体を回転可能に支持するユニットケース２２と、を備えて、当該首振り駆動用ユニットＢの下部を台座部Ｃに固定し、カム体２１は、鉛直方向に位置するとともに、当該カム体の前記ユニットケース側の鉛直面部には、８の字状カム溝２１ａが形成され、ユニットケース２２には、８の字状カム溝２１ａに対向する長穴２２ｂを設け、更に、ユニットケース２２の長穴２２ｂに対向する位置における前記一方のケース部（中ケース３）には、その先端が前記長穴２２ｂを挿通して８の字状カム溝２１ａと係合する前後駆動制御ピン２４を設けて構成される扇風機の首振り機構である。
【００１２】
また、上記の第３発明は、首振り動作を行う扇風機本体Ａと、底板４１及びこの底板４１の上部に回転可能に設けられた台部２５とから構成される台座部Ｃと、扇風機本体Ａ及び台座部Ｃの間に設けられる首振り駆動用ユニットＢとを具備し、首振り駆動用ユニットＢ内に首振り駆動用のモータ１３を備えた扇風機の首振り機構において、首振り駆動用ユニットＢは、扇風機本体Ａに保持されるとともに、台座部Ｃの台部２５に固定される左右のユニットケース１５，２２を設けて、これらユニットケース１５，２２の間にモータ１３の回転に駆動連係するカム体２１と、このカム体２１に駆動連係して揺動動作しその揺動端部にラック２０ａを設けた揺動ラック体２０と、台座部Ｃの底板４１に保持されるラチェット歯車４０と、を備えるとともに、揺動ラック体２０のラック２０ａとラチェット歯車４０とが噛合して構成され、また、扇風機本体Ａは、首振り駆動用ユニットＢを覆う一方及び他方のケース部（中ケース３，後ケース６）を備えるとともに、他方のケース部（後ケース６）には、首振り駆動用ユニットＢの上端部を保持する首振り駆動用ユニットＢの保持部６３を備えて、この保持部６３と首振り駆動用ユニットＢの上端部とが、前記ケース部（中ケース３，後ケース６）及び首振り駆動用ユニットＢにおける相対回動の支点部を構成し、カム体２１は、鉛直方向に位置するとともに、当該カム体の前記ユニットケース側の鉛直面部には、８の字状カム溝２１ａが形成され、ユニットケース２２には、８の字状カム溝に対向する長穴２２ｂを設け、更に、ユニットケース２２の長穴２２ｂに対向する位置における前記一方のケース部（中ケース３）には、その先端が前記長穴２２ｂを挿通して８の字状カム溝２１ａと係合する前後駆動制御ピン２４を設けて構成される扇風機の首振り機構である。
【００１３】
また、上記の第４発明は、前記ラチェット歯車４０はラチェット爪４０ｂを備え、他方、台座部Ｃにてラチェット歯車４０を保持する部位にはラチェット爪４０ｂと係合する歯部４１ｂを設けて、ラチェット構造を構成した扇風機の首振り機構である。
【００１４】
そして、上記第１発明によれば、モータ１３の回転に伴い揺動ラック体２０が揺動し、この揺動ラック体のラック２０ａとこれに噛合するラチェット歯車４０との相対駆動により、当該揺動ラック体２０が当該ラチェット歯車４０の回りを噛み合い往復回動し、これにより首振り駆動用ユニットＢが回動駆動して、扇風機本体Ａが水平方向に首振り駆動する扇風機の首振り機構を得ることができるようになった。
【００１５】
上記第２発明によれば、モータ１３の回転に伴いカム体２１が回転し、このカム体が偏心回転して、８の字状カム溝２１ａに係合する前後駆動制御ピン２４を前後駆動せしめ、この前後駆動制御ピンの前後駆動により、ケース部３を介して、首振り駆動用ユニットＢが前後方向に揺動し、これにより首振り駆動用ユニットＢを保持する扇風機本体Ａが前後方向に首振り駆動する扇風機の首振り機構を得ることができるようになった。
【００１６】
上記第３発明によれば、モータ１３の回転に伴い前記揺動ラック体２０が揺動し、この揺動ラック体２０のラック２０ａとこれに噛合する前記ラチェット歯車４０との相対駆動により、当該揺動ラック体２０が当該ラチェット歯車４０の周りを噛み合い往復回動し、これにより首振り駆動用ユニットＢが水平方向に首振り駆動し、また、カム体２１の偏心回転により、８の字状カム溝２１ａに係合する前後駆動制御ピン２４を前後駆動せしめ、この前後駆動制御ピン２４の前後駆動により、前記ケース部（中ケース３）を介して、首振り駆動用ユニットＢが、前後方向に首振り駆動するので、水平方向の首振り駆動と前後方向の首振り駆動とが合体して扇風機本体Ａが水平方向及び前後方向に駆動する扇風機の首振り機構を得ることができるようになった。
【００１７】
上記第４発明によれば、首振り駆動用ユニットＢに外力が加わった際に、当該ラチェット爪４０ｂと歯部４１ｂとの係合が外れるラチェット構造を具備した扇風機の首振り機構を得ることができるようになったものである。
【００１８】
上記各発明によれば、上述した作用効果を奏することができるようになり、極めて有用な技術を提供することができるようになった。本発明は、上記の発明を、より一層発展させたものである。
【００１９】
すなわち、上記の発明の場合、首振り筐体（上記発明では台座部Ｃの台部２５）がラチェット部（上記発明ではラチェット歯車４０）等の底板４１側の部分に自重分だけ載置されているため、首振り駆動用ユニットＢに、モータ配線等のコードに僅かに抵抗が加わっても、その影響が首振り駆動用ユニットＢにも出て、ラック２０ａと前記ラチェット歯車４０との噛み合いにおける歯車のバックラッシ分、首振り駆動用ユニットＢへフラツキを与える可能性を生じる。
そこで、本発明は、このような首振り駆動用ユニットＢへ与え得るフラツキを回避することができる扇風機の首振り機構を提案することを第１の目的とするものである。
【００２０】
また、前掲特許文献２は、首振り機構を備えた扇風機を開示するものであり、その明細書に記載されている当該扇風機の構成を符号とともに記すと、回転翼駆動用モータ２を内蔵する頭部ケース１と、その頭部ケース１をスタンド３上に左右首振可能に支持する支持軸４及び俯仰角調整可能に支持する手段５と、前記モータ２に連結された歯車機構及びその歯車機構を内蔵するギヤボックス６と、前記歯車機構に駆動軸１２を介して連結されたクランク板１５と、そのクランク板１５によって作動される作動リンク１６とを備え、前記スタンド３上において回転翼を頭部ケース１と共に俯仰角調整可能にし且つ支持軸４のまわりで首振り運動を行なうものにおいて、前記ギヤボックス６とクランク板１５との間に、頭部ケースを仰向させたときの頭部全体の重量による支持軸４のまわりのモーメントに抗する制動手段１７を装置したことを特徴とする扇風機を開示している。
ところが、この制動手段１７は、首振り機構における駆動側部材（前記特許文献１における首振り駆動用ユニットＢに相応）の内部における歯車のバックラッシュ、リンク機構各部材の寸法誤差及び組み付け誤差等によって首振り運動が円滑に行われない点を阻止するべく、前記モーメントに抗する制御を行うものであり、駆動側部材（前記扇風機本体Ａ）と固定側部材（前記台座部Ｃ）との間の圧椄状態を円滑にもたらすものではない。
そこで、本発明は、前記扇風機本体Ａと前記台座部Ｃとの間の圧椄状態を円滑にもたらすことができる扇風機の首振り機構を提案することを第２の目的とするものである。

【課題を解決するための手段】
【００２１】
本願第１請求項に記載した発明は、実施例で用いた符号を付して記すと、首振り動作を行う扇風機本体Ａと、底板４１及びこの底板４１の上部に回転可能に設けられた台部２５とから構成される台座部Ｃと、前記扇風機本体Ａ及び台座部Ｃの間に設けられる首振り駆動用ユニットＢとを具備し、前記首振り駆動用ユニットＢ内に首振り駆動用のモータ１３を備え、
更に前記首振り駆動用ユニットＢは、前記モータ１３の回転に駆動連係するカム体２１と、このカム体に駆動連係して揺動動作しその揺動端部にラック２０ａを設けた揺動ラック体２０と、前記台座部Ｃの前記底板４１に保持されるラチェット歯車４０と、を備えるとともに、前記揺動ラック体２０のラック２０ａと前記ラチェット歯車４０とが噛合する扇風機の首振り機構において、
前記ラチェット歯車４０の中央筒部４０ｃに円筒状の段部４０ｄを設け、この段部４０ｄにコイルばね４２を装着し、
前記コイルばね４２の上端及び下端にリング状のスペーサ４３を配置し、
前記コイルばね４２の上端部を、前記スペーサ４３を介して前記台部２５に圧椄させたことを特徴とする扇風機の首振り機構である。
【発明の効果】
【００２３】
本発明によれば、前記ラチェット歯車４０の中央筒部４０ｃに円筒状の段部４０ｄを設け、この段部４０ｄにコイルばね４２を装着し、更にこのコイルばね４２の上端及び下端にリング状のスペーサ４３を配置して、コイルばね４２の上端部を、スペーサ４３を介して前記台部２５に圧椄させた構成を備えたので、歯車の噛み合いにバックラッシがあっても、モータ配線等のコードに抵抗が加わったときにこれに影響されずに首振り駆動用ユニットＢの円滑な回転を得ることができ、ひいては首振り駆動用ユニットＢの回転ムラを回避することができ、加えてコイルばね４２の上端を直接、台部２５に当接するものに比べて、当該圧椄状態すなわち、駆動側部材たる前記扇風機本体Ａと固定側部材たる前記台座部Ｃとの圧接状態を円滑にもたらすことができるという本発明固有の作用効果を奏するものである。

【図面の簡単な説明】
【００２４】
【図１】扇風機の首振り機構を示す縦断側面図である。
【図２】図１の台座部におけるラチェット部と台部との係合構造を示す図である。
【図３】本発明の実施例に係り、図２のラチェット部にコイルばねを装着した状態を示す図である。
【図４】台座部におけるラチェット部に段部を設けたものを示す図である。
【図５】従来例に係り、扇風機の首振り機構を示す分解斜視図である。
【図６】従来例に係り、首振りユニット部分を示す分解斜視図である。
【図７】従来例に係り、首振りユニット部分を示す分解斜視図である。
【図８】従来例に係り、首振りユニット部分を示す組立て斜視図である。
【図９】従来例に係り、扇風機の首振り機構の要部を示す外観図であって、（ａ）は側面方向からの図、（ｂ）は正面右上方向からの斜視図、（ｃ）は背面上方向からの斜視図である。
【発明を実施するための最良の形態】
【００２５】
以下に、本発明の実施例を図面に基づいて詳細に説明する。まず、本発明の前提となる従来例における扇風機の首振り機構を、図５〜図９を用いて説明する。
【００２６】
図５において、従来例の扇風機の首振り機構は、首振り動作を行う扇風機本体Ａ、首振り駆動用ユニットＢ及び台座部Ｃで構成される。
【００２７】
扇風機本体Ａは、送風部を構成するもので、図５において順に、前ケース１、下流側インペラ２、中ケース３、下流側モータ４、上流側モータ５、後ケース６、上流側インペラ７、グリルカバー８、スイッチ回路部９，１０，１１，１２で形成されている。
【００２８】
前記中ケース３は、更に図６に示すように、モータ覆い部から垂下する柱状部３１、後ケース６の保持部６３を覆う横板状部３２、横板状部３２の下方に形成されるスイッチ配置部３３、スイッチ配置部３３の一方側面から後ケース６の方向に突出する突片３４を備える。
【００２９】
前記突片３４は、右ユニットケース２２の長穴２２ｂに対応した箇所に形成され、前後揺動制御ピン２４を挿入するための孔３４ａを備える。
【００３０】
前記後ケース６は、モータ覆い部から垂下する柱状部６１、首振り駆動用ユニットＢの載置部６２、及び、前記柱状部６１の下端に形成される首振り駆動用ユニットＢの保持部６３を備える。この保持部６３は、後述する首振り駆動用ユニットＢの上部軸受部（上部軸２０ｃ）を保持する。
【００３１】
尚、前記スイッチ回路部９，１０，１１，１２は、中ケース３の前記スイッチ配置部３３に設置されている。尚、１０は回路基板、１１はプッシュスイッチ、１２はスライドスイッチで、これらのプッシュスイッチ１１とスライドスイッチ１２の双方を、ボタン９で操作することができる。このボタン９は、前ケース１の孔１ａに装着される。
【００３２】
首振り駆動用ユニットＢは、図５〜図９に示すように、ウオームギア１３ａをモータ軸に固着したモータ１３、順に、ブッシュ１４、左ユニットケース１５、歯車１６，１７，１８，１９で形成される減速歯車列、揺動ラック体２０、前記歯車１９で回転駆動されるカム体２１、右ユニットケース２２で構成されている。
【００３３】
左ユニットケース１５は、モータ１３を固定し、上部に軸受部１５ａ、減速歯車列の歯車１９の支持用軸１５ｂ、右ユニットケース２２との固着部１５ｃを備え、下端は後述する台座部Ｃの台部２５に載置される。前記軸受部１５ａは、揺動ラック体２０の上部軸２０ｃの一端を支持する。
【００３４】
前記減速歯車列は、前記ウオームギア１３ａとその大径歯車１６ａが噛み合う歯車１６、歯車１６の小径歯車１６ｂがその大径歯車１７ａと噛み合う歯車１７、歯車１７の小径歯車１７ｂがその大径歯車１８ａと噛み合う歯車１８、歯車１８の小径歯車１８ｂがその大径歯車１９ａと噛み合う歯車１９で構成されている。
【００３５】
歯車１９の小径歯車１９ｂは、後に上述するカム体２１のギア受部２１ｃと噛合する。尚、小径歯車１９ｂは中央に筒部を備え、この筒部が、ギア受部２１ｃの中央に形成されている突出軸２１ｂに嵌合する。これにより、小径歯車１９ｂとギア受部２１ｃとの噛合が確実になされるように構成されている。
【００３６】
揺動ラック体２０は、上部に揺動用の上部軸２０ｃ、下部にラック２０ａ、中間部には、カム体２１のカム縁部を内嵌め係合するカム係合穴２０ｂを備える。
【００３７】
前記ラック２０ａは、湾曲形状を呈している。この湾曲形状は、上部軸２０ｃとラック２０ａ間を半径とする円弧に相応している。
【００３８】
カム体２１は、その外周縁はカム体回転中心に対し偏心するカム縁部を構成し、減速歯車列の側にギア受部２１ｃ、裏面（右ユニットケース２２の側）には８の字状カム溝２１ａ、ギア受部２１ｃの中央には表裏側に突出する突出軸２１ｂを、それぞれ形成している。
【００３９】
右ユニットケース２２は、上部に軸部２２ａ、カム体２１裏面の８の字状カム溝２１ａに臨む長穴２２ｂ、左ユニットケース１５との固着部２２ｃ、左ユニットケース１５の方向へ突出した部位の先端部に形成した軸部２２ｄを備える。この軸部２２ｄには、歯車１６の小径歯車１６ｂが装着される。また、軸部２２ａにはブッシュ２３が装着される。固着部２２ｃには、左ユニットケース１５の固着部１５ｃ（この例では軸）が固着される。そして、この固着部２２ｃは、本例では孔であり、この孔に図示を省略したねじを挿通して、左ユニットケース１５の固着部１５ｃを固定する。尚、図８に示すように、２２ｅは孔で、この孔２２ｅに、カム体２１の突出軸２１ｂを回転可能に支持する。また、右ユニットケース２２の下端は、台座部Ｃの台部２５に載置される。
【００４０】
右ユニットケース２２において、軸部２２ａは揺動ラック体２０の上部（軸２０ｃに対応する箇所）と係合して、揺動ラック体２０を支持する。更に、右ユニットケース２２は、前記左ユニットケース１５とともに揺動ラック体２０の上部を保持する（図８参照）。このようにして組み立てられた首振り駆動用ユニットＢの上部（左ユニットケース１５の上部、揺動ラック体２０の上部、右ユニットケース２２の上部）は、前述したように、後ケース６の保持部６３に保持される。
【００４１】
首振り駆動用ユニットＢの上部は、後ケース６の保持部６３に保持され、更に前記中ケース３の横板状部３２で覆われる。このようにして、首振り駆動用ユニットＢは、この上部を支点として、扇風機本体Ａに対し、相対的に揺動する。本例では、首振り駆動用ユニットＢが台座部Ｃの台部２５に固定されるので、扇風機本体Ａの方が首振り駆動用ユニットＢに対して、揺動することとなる。
【００４２】
尚、扇風機本体Ａの首振り駆動用ユニットＢに対する揺動は、扇風機本体Ａが水平回動する際は、図示を省略した部材により相互に固定されて阻止されるが、前後方向に回動する際には、当該揺動がなされる。
【００４３】
右ユニットケース２２の長穴２２ｂは、扇風機本体Ａが前後方向に揺動する際に機能するもので、後述するカム体回転時における８の字状カム溝２１ａに対向して設けられる。そして、この長穴２２ｂに前後揺動制御ピン２４が挿入された際に、この扇風機本体Ａが前後方向に揺動可能なように、長穴２２ｂは若干湾曲形成されている。尚、首振り駆動用ユニットＢに対する扇風機本体Ａの前後方向の揺動は後に詳述する。
【００４４】
台座部Ｃは、ラチェット歯車４０をその筒状部４１ａに装着した底板４１と、底板４１の上部に回転可能に設けられる台部２５とから構成される。ラチェット歯車４０は、ラチェット爪４０ｂを備える。また、台座部Ｃにおいて、ラチェット歯車４０を保持する部位には、前記ラチェット爪４０ｂと係合する歯部４１ｂを設けている。これらラチェット爪４０ｂと歯部４１ｂで構成されるラチェット構造を具備して、首振りユニットＢに一定以上の外力が加わった際に、ラチェット爪４０ｂと歯部４１ｂとの係合が外れるように設けている。尚、図５中、２６，２７，２８，２９はブッシュである。
【００４５】
次に、首振りユニットＢの水平方向の駆動（水平駆動）について説明する。
【００４６】
この例の扇風機の首振り機構は、扇風機本体Ａと台座部Ｃとの間に首振り駆動用ユニットＢを設け、前記首振りユニット内に首振り駆動用のモータ１３を備えた形式のものにおいて、前記のとおり、首振り駆動用ユニットＢは、前記モータの回転を伝達する減速歯車列１６，１７，１８，１９と、この減速歯車列に駆動連係するカム体２１と、このカム体に駆動連係して揺動動作しその揺動端部にラック２０ａを設けた揺動ラック体２０と、台座部Ｃに保持されるラチェット歯車４０と、を備え、更に、前記揺動ラック体２０のラック２０ａと前記ラチェット歯車４０とが噛合して構成される。
【００４７】
上記首振り機構において、モータ１３の回転により、減速歯車列１６，１７，１８，１９及び前記カム体２１の回転によって揺動ラック体２０が揺動し、この揺動ラック体のラック２０ａとこれに噛合する前記ラチェット歯車４０の歯部４０ａとの相対駆動により、当該揺動ラック体が当該ラチェット歯車の回りを噛み合い往復回動し、これにより前記首振り駆動用ユニットＢが、水平方向に首振り駆動する。
【００４８】
上記首振り機構において、図１〜図２に示すように、台部２５は、その中央部に下方へ突出する筒部２５ａを備え、この筒部２５ａは、ラチェット歯車４０の中央筒部４０ｃに挿入されている。尚、図中、符号４４は、位置決め用ビスで、底板４１の中央下部から挿入し、これに台部２５の筒部２５ａが外嵌めされて位置決めされる。また、符号４１ｃはプーリーで、台部２５の回転を円滑にするように作用する。
【００４９】
更に、本例では、図１及び図３に示すように、ラチェット歯車４０の中央部にコイルばね４２を配置し、このコイルばね４２の上端部を台部２５に圧椄させている。
【００５０】
このように、コイルばね４２を配置して、このコイルばね４２の上端部を台部２５に圧椄させた場合は、歯車の噛み合いにバックラッシがあっても、モータ配線等のコードに抵抗が加わったときにこれに影響されずに首振り駆動用ユニットＢの円滑な回転を得ることができ、ひいては首振り駆動用ユニットＢの回転ムラを回避することができるものである。
【００５１】
本例では、図４に示すように、ラチェット歯車４０の中央部に円筒状の段部４０ｄを設け、この段部４０ｄに前記コイルばね４２を装着し、更にこのコイルばね４２の上端及び下端にリング状のスペーサ４３を配置している。
【００５２】
コイルばね４２の上下にスペーサ４３を配置した場合は、コイルばね４２の上端を直接、台部２５に当接するものに比べて、当該圧椄状態を円滑にもたらすことができる。
【産業上の利用可能性】
【００５３】
本発明の扇風機の首振り機構は、例えばパソコンのＵＳＢを電源として駆動する小型扇風機に好適である。
【符号の説明】
【００５４】
Ａ    扇風機本体
Ｂ    首振り駆動用ユニット
Ｃ    台座部
１    前ケース
１ａ    孔
２    下流側インペラ
３    中ケース
３１    柱状部
３２    横板状部
３３    スイッチ配置部
３４    突片
３４ａ    孔
４    下流側モータ
５    上流側モータ
６    後ケース
６１    柱状部
６２    載置部
６３    保持部
７    上流側インペラ
８    グリルカバー
９，１０，１１，１２    スイッチ回路部
１３    モータ
１３ａ    ウオームギア
１５    左ユニットケース
１５ａ    軸受部
１５ｂ    支持用軸
１５ｃ    固着部
１６    歯車
１６ａ    大径歯車
１６ｂ    小径歯車
１７    歯車
１７ａ    大径歯車
１７ｂ    小径歯車
１８    歯車
１８ａ    大径歯車
１８ｂ    小径歯車
１９    歯車
１９ａ    大径歯車
１９ｂ    小径歯車
２０    揺動ラック体
２０ａ    ラック
２０ｂ    カム係合穴
２０ｃ    上部軸
２１    カム体
２１ａ    ８の字状カム溝
２１ｂ    突出軸
２１ｃ    ギア受部
２２    右ユニットケース
２２ａ    軸部
２２ｂ    長穴
２２ｃ    固着部
２２ｄ    軸部
２２ｅ    孔
２３    ブッシュ
２４    前後駆動制御ピン
２５    台部
２５ａ    筒部
２６，２７，２８，２９    ブッシュ
４０    ラチェット歯車
４０ａ    歯部
４０ｂ    ラチェット爪
４０ｃ    中央筒部
４０ｄ    段部
４１    底板
４１ａ    筒状部
４１ｂ    歯部
４１ｃ    プーリー
４２    コイルばね
４３    スペーサ
４４    位置決め用ビス
【図１】
0006321567.tif 000002
【図２】
0006321567.tif 000003
【図３】
0006321567.tif 000004
【図４】
0006321567.tif 000005
【図５】
0006321567.tif 000006
【図６】
0006321567.tif 000007
【図７】
0006321567.tif 000008
【図８】
0006321567.tif 000009
【図９】
0006321567.tif 000010